(57)【要約】【課題】  落下防止用安全帯のフックを掛止するワイヤーは、緊張したときに曲げ癖が付きやすく現場での作業性が著しく低下する。特に、ドラムに巻き取って緊張させる緊張機は、巻き取る作業が重労働で、解除する場合も巻き癖が付いてドラムから外しにくくなる。巻き癖が付いたワイヤーは再利用しにくく、使用後の取り扱いも困難となる。【解決手段】  緊張装置本体一側に構造物に係止する本体フックを設け、本体他側に周面に滑り止めを施しワンウェイクラッチで逆回転を防止した引き込みホイール、該引き込みホイールの該本体フック側に周面に滑り止めを施した押圧ホイールを設け、２つのホイールの周面間に該ワイヤロープを介在させ、該引き込みホイールを回転させることによって、該ワイヤロープを緊張させる構造であって、該押圧ホイールは本体に跨り一端を可回転に軸支した揺動レバーに可回転に設け、該揺動レバーはターンバックルで本体と連結する。【選択図】        図１
2010183938.tif 000002
【特許請求の範囲】
【請求項１】
高所作業における作業者の落下防止用安全帯のフックを係合させるワイヤロープを張設するための緊張装置において、本体一側に構造物に係止する本体フックを設け、本体他側に周面に滑り止めを施しワンウェイクラッチで逆回転を防止した引き込みホイールを設けると共に、該引き込みホイールの該本体フック側に周面に滑り止めを施した押圧ホイールを設け、２つのホイールの周面間に該ワイヤロープを介在させ、該引き込みホイールを回転させることによって、該ワイヤロープを緊張させる構造であって、該押圧ホイールは本体に跨り一端を可回転に軸支した揺動レバーに可回転に設け、該揺動レバーはターンバックルで本体と連結したことを特徴とするワイヤーロープ緊張装置。
【請求項２】
揺動レバーを操作するための操作ハンドルと、本体を支持するための支持ハンドルを設けた請求項１記載のワイヤロープ緊張装置。
【発明の詳細な説明】
【技術分野】
【０００１】
本発明は、建築現場における高所作業に際し、落下防止用安全帯のフックを掛けるためのワイヤロープを緊張させる緊張装置の改良に関するものである。
【背景技術】
【０００２】
建築現場における高所作業においては、作業者に落下防止用安全帯の装着が義務づけられている。落下防止用安全帯を装着した作業者の作業性を高めるため、支柱間にワイヤロープを張って、これに落下防止用安全帯のフックを引っ掛けるようにすることが一般的に行われている。
【０００３】
支柱間に張るワイヤロープは緊張させておく必要があるため、ワイヤロープは緊張装置を介して張られている。緊張装置としては特許文献１に示す構造のものなど種々のものがある。特許文献１に示した緊張機は、合成樹脂被覆ワイヤーを緊張させることを目的とするもので、ワイヤーをドラムに巻き取ることで緊張させている。ドラムにはラチェットホイールが設けられ、巻き戻し防止が図られている。
【先行技術文献】
【特許文献】
【０００４】
【特許文献１】特開２０００−２８３２４７
【発明の概要】
【発明が解決しようとする課題】
【０００５】
合成樹脂被覆ワイヤーは、金属製のワイヤーを合成樹脂で被覆することにより、錆などに対する耐候性を向上させたり、安全帯のフックの滑りをよくするなどの利点がある。しかしながら、心材に金属製のワイヤーを用いている限りにおいて、曲げ癖が付きやすく取り扱いが困難になって、現場での作業性が著しく低下する問題が生じていた。
【０００６】
特に、特許文献１に示した緊張機のようにドラムに巻き取って緊張させる構造では、巻き取る作業がかなりの重労働になり、解除するときは巻き癖が付いてしまってワイヤーをドラムから外しにくくなってしまうことになる。また、巻き癖が付いたワイヤーは再利用しにくく、使用後の取り扱いも困難になる問題があった。
【課題を解決するための手段】
【０００７】
そこで本発明者は上記課題に鑑み鋭意研究した結果、本発明を成し得たものであり、その特徴とするところは、高所作業における作業者の落下防止用安全帯のフックを係合させるワイヤロープを張設するための緊張装置において、本体一側に構造物に係止する本体フックを設け、本体他側に周面に滑り止めを施しワンウェイクラッチで逆回転を防止した引き込みホイールを設けると共に、該引き込みホイールの該本体フック側に周面に滑り止めを施した押圧ホイールを設け、２つのホイールの周面間に該ワイヤロープを介在させ、該引き込みホイールを回転させることによって、該ワイヤロープを緊張させる構造であって、該押圧ホイールは本体に跨り一端を可回転に軸支した揺動レバーに可回転に設け、該揺動レバーはターンバックルで本体と連結したことにある。
【０００８】
本明細書中でいう「本体」とは、支柱などの構造物に直接または間接的に引っ掛ける本体フックを有し、内部に引き込みホイールと押圧ホイールを設け、これらの周面間にワイヤロープを挿通して該引き込みホイールを回転させて緊張させるものをいう。
【０００９】
引き込みホイールと押圧ホイールの周面には、突起や突条などを設けてワイヤロープの滑り止めを図っている。引き込みホイールは、ワンウェイクラッチを介して設けることにより、逆回転防止を図りワイヤロープを引っ張るだけで緊張できるようにしている。押圧ホイールは、ワイヤロープを引き込みホイールに押し付けて緊張状態に保持するためのもので、ワイヤロープを取り外す場合は引き込みホイールから離反させることで緊張を解除する。
【００１０】
このため、押圧ホイールは、一端を可回転に軸支した揺動レバーに可回転に設けており、揺動レバーはターンバックルで本体に連結している。
本発明に係るワイヤロープ緊張装置の使用方法としては、先ず本体に設けた本体フックを支柱等に引っ掛けて本体を保持する。そして、他の支柱等に支持したワイヤロープの端部を引き込みホイールと押圧ホイールの周面間に挿通する。この段階で挿通したワイヤロープが抜けないように、ターンバックルを締め付けて押圧ホイールを引き込みホイール側に押し付ける。この状態でワイヤロープを引っ張るか、若しくは引き込みホイールの回転軸をラチェットレンチなどで回してワイヤロープを緊張させる。
【００１１】
緊張したワイヤロープを取り外す場合は、ターンバックルを緩めて押圧ホイールを引き込みホイールから離反させることによって引き抜く。ワイヤロープを緊張させたり、引き抜く場合において、手で本体を支持するときに本体に支持ハンドルを設けておくことで操作性が向上する。また、操作レバーに操作ハンドルを設けて操作しやすくするのが好ましい。
【発明の効果】
【００１２】
本発明に係るワイヤロープ緊張装置は、ワンウェイクラッチで逆回転を防止した引き込みホイールに、揺動可能に支持した押圧ホイールを周面同士が対向する位置に設けたことにより、ワイヤロープの緊張及び解除を極めて簡単に行うことが可能となった。また、ワイヤロープを引き込みホイールと押圧ホイールとの間を通過させるだけで緊張できるため、装置がコンパクトに形成でき現場への搬入搬出も容易であり、コスト的にも安価に提供できる。しかも、緊張したワイヤロープにほとんど曲がり癖がつかないため、再使用しやすく取り外したワイヤロープの取り扱いも容易になるなど、実用上極めて有益な効果を有するものである。
【図面の簡単な説明】
【００１３】
【図１】（ａ）は本発明に係るワイヤロープ緊張装置の一実施例を示す平面図、（ｂ）は（ａ）の側面図である。（実施例１）
【図２】図１に示したワイヤロープ緊張装置の使用状態を示す側面図である。
【図３】本発明に係るワイヤロープ緊張装置からワイヤロープを取り外す状態を示す側面図である。
【発明を実施するための形態】
【００１４】
本発明に係るワイヤロープ緊張装置は、ワンウェイクラッチで逆回転を防止した引き込みホイールに、揺動可能に支持した押圧ホイールを周面同士が対向する位置に設け、該押圧ホイールをターンバックルで固定したことで上記課題を解決した。
【実施例１】
【００１５】
図１（ａ）（ｂ）は、本発明に係るワイヤロープ緊張装置１の一実施例を示すもので、本体２にワンウェイクラッチ３１で逆回転を防止した引き込みホイール３と、フリー回転可能に支持した押圧ホイール４を設け、本体２の一側に構造物に掛止させる本体フック２１を備えた構造である。本発明では、押圧ホイール４を揺動レバー４１に可回転に設けており、該揺動レバー４１は本体２に回動可能に支持し、ターンバックル４２で本体２に固定している。
【００１６】
また、本体２に本体２を支持する支持ハンドル２２を設けると共に、揺動レバー４１にはこれを操作するための操作ハンドル４３を設けている。ワイヤロープＷは、引き込みホイール３と押圧ホイール４との周面間に挿通して、押圧ホイール４を引き込みホイール３側に押圧することにより、引き込みホイール３を回転して緊張させる。押圧ホイール４の押圧や開放は、ターンバックル４２を回転させることによって行う。
【００１７】
図２に示すように支柱Ｐ間にワイヤロープＷを緊張させる場合は、先ず本体フック２１を一方の支柱Ｐに係止し、他方の支柱Ｐに固定したワイヤロープＷの自由端を引き込みホイール３と押圧ホイール４の周面間に挿通する。この段階でターンバックル４２を締め付けて押圧ホイール４を引き込みホイール３側に押圧させる。そして、ワイヤロープＷを手で引っ張ることにより、ある程度緊張させ、図に示すようにラチェットレンチＲで引き込みホイール３のボルト３２を回転させて確実に緊張させる。
【００１８】
緊張したワイヤロープＷを緊張装置１から外すには、図３に示すようにターンバックル４２を緩めて、押圧ホイール４を引き込みホイール３から離反させることにより、引き込みホイール３と押圧ホイール４による係合を解除して外すことができる。押圧ホイール４をターンバックル４２で連結したことにより、押圧状体や開放状体に保持することができ、ワイヤロープＷを緊張するときや取り外すときの作業性が極めて高くなる。
【符号の説明】
【００１９】
１  ワイヤロープ緊張装置
２  本体
２１  本体フック
２２  支持ハンドル
３  引き込みホイール
３１  ワンウェイクラッチ
３２  ボルト
４  押圧ホイール
４１  揺動レバー
４２  ターンバックル
４３  操作ハンドル
Ｗ  ワイヤロープ
Ｐ  支柱
Ｒ  ラチェットレンチ
【図１】
2010183938.tif 000003
【図２】
2010183938.tif 000004
【図３】
2010183938.tif 000005